(57)【要約】【課題】  河川、湖岸、その他切り立った断崖等においても確実に施工でき、危険で狭小な作業環境でも高精度の歩道板の据付位置調整等を行える分割、組立形張り出し歩道構造及びその構築方法ならびに張り出し歩道ブロックを提供する。【解決手段】  地盤に設置される土台部と、土台部と別体に形成され土台部にその一部を係合させて歩道部を片持ち状に支持させる上盤と、を含み、上盤は、土台部にその一部を係合させて歩道部を水平状に配置させた状態で重心が土台部側にあり、土台部に配置させた上盤の一部分を現場打ちコンクリートの充填固化により一体固定させ、土台部と上盤とを一体化してなる分割、組立形張り出し歩道構造から構成される。土台部と上盤とを別体として各上盤、土台部の製造、移動を簡単に行えるとともに、コンパクト化、軽量化でき、作業上の危険性を減少させる。さらに、据付調整を簡易に行える。【選択図】図１
2005076235.tif 000002
【特許請求の範囲】
【請求項１】
地盤に設置される土台部と、
土台部と別体に形成され土台部にその一部を係合させて歩道部を片持ち状に支持させる上盤と、を含み、
上盤は、土台部にその一部を係合させて歩道部を水平状に配置させた状態で重心が土台部側にあり、
土台部に配置させた上盤の一部分を現場打ちコンクリートの充填固化により一体固定させ、土台部と上盤とを一体化してなる分割、組立形張り出し歩道構造。
【請求項２】
上盤は脚と歩道板とからなり、
土台部は脚を受け入れる空隙部分を備えた枠体構造からなる請求項１記載の分割、組立形張り出し歩道構造。
【請求項３】
歩道板は水平状に配置されるとともに、脚は歩道板にＬ字状に下方に連接され、
土台部は、脚を空隙部分に配置しつつ脚と歩道板との隅部付近を載せ掛け状に支持する外壁を有する請求項２記載の分割、組立形張り出し歩道構造。
【請求項４】
土台部は、内外に離隔対向して立てて配置される内壁及び外壁とこれらを連結する連接壁とによりＨ形枠状に一体的に形成され、
上盤の脚は歩道板から二股状に下方に向けて突設され、土台部の連接壁にまたがるように配置されることを特徴とする請求項２または３記載の分割、組立形張り出し歩道構造。
【請求項５】
脚と土台部との相対位置を調整しつつ歩道板の水平勾配を調整する勾配調整機構を有する請求項１ないし４のいずれかに記載の分割、組立形張り出し歩道構造。
【請求項６】
土台部に対する歩道板の高さを調整する高さ調整機構を有する請求項１ないし５のいずれかに記載の分割、組立形張り出し歩道構造。
【請求項７】
上盤は、脚を含む脚側基体と、脚側基体とは別体で形成され脚側基体に一体組み付け可能な歩道板と、を有する請求項１ないし６のいずれかに記載の分割、組立形張り出し歩道構造。
【請求項８】
請求項１ないし７のいずれかに記載の分割、組立形張り出し歩道構造に用いられる張り出し歩道ブロック。
【請求項９】
地盤に設置される土台部と、土台部と別体に形成され一端側に歩道部を有する上盤と、を用意し、
土台部に上盤の一部を係合させつつ自由状態において上盤自体で歩道部を水平状に支持可能に配置し、
土台部に配置させた上盤の一部分を現場打ちコンクリートの充填固化により土台部と上盤とを一体固定させて歩道部を片持ち状に支持させることを特徴とする分割、組立形張り出し歩道の構築方法。
【請求項１０】
歩道部に略Ｌ字状に脚を連接させ、
土台部の張り出し端側に縦壁を配置し、
脚を土台部側に配置し、脚と歩道板との隅部付近を縦壁に載せ掛け状に支持させた状態で歩道部の勾配調整を含む位置調整工程と、固化用コンクリート充填工程と、を行うことを特徴とする請求項９記載の分割、組立形張り出し歩道の構築方法。
【発明の詳細な説明】
【技術分野】
【０００１】
本発明は、傾斜や切り立った崖上等の段差のある地形や山間部、内海沿岸、湖水際等にあって外側に張り出した歩道構築に用いられる分割、組立形張り出し歩道構造及びその構築方法並びに張り出し歩道ブロックに関する。
【背景技術】
【０００２】
例えば、山の中腹や、谷側、崖等の段差上に設けられた車道では、道の幅も狭く歩行者は常に危険を伴う。従って、車道と分離した歩道の建設が望ましいが、上記のような地形では、スペースが狭いことが多いので、元々狭い車道をさらに車道と歩道に区切ることが困難であり、そのままでは広い歩道を確保することが困難であった。そこで、歩道を建設する際には、車道の縁側に沿って崖から外側に張り出した歩道の建設の必要性が生じる。
従来の張り出し歩道の構造としては、例えば、特許文献１に提案されており、特許文献１の張り出し歩道は、同文献１添付の図１に示すように、谷側法面に構築される擁壁部材と、歩道板と、錘体と、を有しており、歩道板は、擁壁部材と、錘体とにより両持ち支持されて、外側に張り出して構成されている。
【特許文献１】特開平７−３１７００５号
【発明の開示】
【発明が解決しようとする課題】
【０００３】
しかしながら、特許文献１の張り出し歩道では、歩道板を両持ち状に支持するために予め谷側に擁壁部材によって擁壁を構築しておく必要があるので、作業が極めて大掛かりとなり多くの労力が必要である。また、危険を伴うとともに工期が長期化し、さらに施工コストも高騰する等の問題があるうえに、例えば、深い谷や、海岸、湖岸等の断崖部分等では擁壁部材を配置すること自体が困難なので張り出し歩道を建設することができなかった。
さらに、擁壁に跨らせる歩道板が大型化、長大化し施工コスト高騰とともに作業が遅延し、さらに細かな勾配調整や、高さ調整等を含む据付調整が困難であるという課題があった。
【０００４】
本発明は上記従来の課題に鑑みてなされたものであり、その一つの目的は、切り立った断崖等においても確実に施工できるとともに、そのような危険で狭小な作業環境でも高精度の勾配設定調整等を行え、さらに工期を短縮しうるとともに、施工コストも低廉に維持しうる分割、組立形張り出し歩道構造及びその構築方法を提供することにある。
【課題を解決するための手段】
【０００５】
上記の目的を達成するために、本発明は、地盤３００に設置される土台部１２と、土台部と別体に形成され土台部にその一部を係合させて歩道部１６を片持ち状に支持させる上盤１４と、を含み、上盤１４は、土台部１２にその一部を係合させて歩道部１６を水平状に配置させた状態で重心が土台部側にあり、土台部に配置させた上盤１４の一部分を現場打ちコンクリートの充填固化により一体固定させ、土台部１２と上盤１４とを一体化してなる分割、組立形張り出し歩道構造から構成される。
【０００６】
また、その際、上盤１４は脚２８と歩道板３０とからなり、土台部１２は脚２８を受け入れる空隙部分Ｇを備えた枠体構造からなるようにしてもよい。
【０００７】
さらに、歩道板３０は水平状に配置されるとともに、脚２８は歩道板にＬ字状に下方に連接され、土台部１２は、脚２８を空隙Ｇ部分に配置しつつ脚２８と歩道板３０との隅部１０１付近を載せ掛け状に支持する外壁２０を有するようにするとよい。
【０００８】
また、土台部１２は、内外に離隔対向して立てて配置される内壁１８及び外壁２０とこれらを連結する連接壁２２とによりＨ形枠状に一体的に形成され、上盤１４の脚２８は歩道板３０から二股状に下方に向けて突設され、土台部１２の連接壁２２にまたがるように配置されるようにしてもよい。
【０００９】
また、脚２８と土台部１２との相対位置を調整しつつ歩道板３０の水平勾配を調整する勾配調整機構２６を有するようにしてもよい。
【００１０】
また、土台部１２に対する歩道板３０の高さを調整する高さ調整機構４２を有するとよい。
【００１１】
また、上盤は６０、脚６４を含む脚側基体６２と、脚側基体とは別体で形成され脚側基体に一体組み付け可能な歩道板６６と、を有するようにするとよい。
【００１２】
また、本発明は、請求項１ないし７のいずれかに記載の分割、組立形張り出し歩道構造に用いられる張り出し歩道ブロック１０Ａ、１０Ｂ、１０Ｃ．．．から構成される。
【００１３】
また、本発明は、地盤に設置される土台部と、土台部と別体に形成され一端側に歩道部を有する上盤と、を用意し、土台部に上盤の一部を係合させつつ自由状態において上盤自体で歩道部を水平状に支持可能に配置し、土台部に配置させた上盤の一部分を現場打ちコンクリートの充填固化により土台部と上盤とを一体固定させて歩道部を片持ち状に支持させることを特徴とする分割、組立形張り出し歩道の構築方法から構成される。
【００１４】
その際、歩道部に略Ｌ字状に脚を連接させ、土台部の張り出し端側に縦壁を配置し、脚を土台部側に配置し、脚と歩道板との隅部付近を縦壁に載せ掛け状に支持させた状態で歩道部の勾配調整を含む位置調整工程と、固化用コンクリート充填工程と、を行うようにするとよい。
【発明の効果】
【００１５】
本発明は、地盤に設置される土台部と、土台部と別体に形成され土台部にその一部を係合させて歩道部を片持ち状に支持させる上盤と、を含み、上盤は、土台部にその一部を係合させて歩道部を水平状に配置させた状態で重心が土台部側にあり、土台部に配置させた上盤の一部分を現場打ちコンクリートの充填固化により一体固定させ、土台部と上盤とを一体化してなる分割、組立形張り出し歩道構造から構成されるので、土台部と上盤とを別体として各上盤、土台部の製造、移動を簡単に行えるとともに、コンパクト化、軽量化により取り扱いがしやすく、作業上の危険性が減少し、工期の短縮並びに作業コストの低減を実現し得る。さらに、細かな勾配や高さ調整を含む据付調整が可能である。
【００１６】
また、上盤は脚と歩道板とからなり、土台部は脚を受け入れる空隙部分を備えた枠体構造から構成することにより、脚と歩道板との一体構造体の脚部分を土台部の空隙にクレーン吊支により配置させるだけで歩道板の片持ち支持による張り出し歩道構造の大まかな設定工事を終了でき、作業分割とともに次の微調整工程へ円滑に移行し得る。
【００１７】
また、歩道板は水平状に配置されるとともに、脚は歩道板にＬ字状に下方に連接され、
土台部は、脚を空隙部分に配置しつつ脚と歩道板との隅部付近を載せ掛け状に支持する外壁を有する構成とすることにより、土台部に上盤を乗せ掛け状に配置させての重心を土台部側に残す構造を脚部から歩道板側に向けて薄肉化した自然な構造とでき、よって、その状態での歩道板の勾配調整並びに高さ調製を含む位置調整を簡単にかつ具体的に実現し得る。
【００１８】
また、土台部は、内外に離隔対向して立てて配置される内壁及び外壁とこれらを連結する連接壁とによりＨ形枠状に一体的に形成され、上盤の脚は歩道板から二股状に下方に向けて突設され、土台部の連接壁にまたがるように配置される構成であるから、歩道板を水平状に配置し土台部にその一部を係合させて歩道部を片持ち状に支持させる構成を極めて簡単でかつ、コンクリート成型により一体製造しやすい構造で実現し得る。
【００１９】
また、脚と土台部との相対位置を調整しつつ歩道板の水平勾配を調整する勾配調整機構を有する構成とすることにより、土台部の内側での脚と外壁との間隙調整のみで歩道板の勾配調整ができ、調整作業を安全でかつ簡単な操作で実現し得る。
【００２０】
また、土台部に対する歩道板の高さを調整する高さ調整機構を有する構成とすることにより従来極めて困難で時間のかかる作業であった土台部・歩道部一体構造による片持ち張り出し歩道ブロックの高さ調整を簡単な構成で短期間にしかも良好な精度をもって行うことが可能である。
【００２１】
また、上盤は、脚を含む脚側基体と、脚側基体とは別体で形成され脚側基体に一体組み付け可能な歩道板と、を有する構成であるから、歩道板を支持側の土台や脚部分とは異なる素材でかつ軽量で構成できる結果、例えば歩道板を必要に応じて保水性、透水性、緑化適合に優れるようなポーラス、透水性等のコンクリート製品を使用することができ、歩道部分の設計や計画の自由度が大幅に向上する。また、搬送、据付も簡単で工期短縮も図ることが可能である。
【００２２】
また、本発明は、地盤に設置される土台部と、土台部と別体に形成され一端側に歩道部を有する上盤と、を用意し、土台部に上盤の一部を係合させつつ自由状態において上盤自体で歩道部を水平状に支持可能に配置し、土台部に配置させた上盤の一部分を現場打ちコンクリートの充填固化により土台部と上盤とを一体固定させて歩道部を片持ち状に支持させることを特徴とする分割、組立形張り出し歩道の構築方法で構成することにより、各部の軽量化を介して作業上の危険性が減少し、工期の短縮並びに作業コストの低減を実現し得るうえに、細かな勾配や高さ調整を含む据付調整が大幅に簡易化され得る。
【００２３】
また、その際に、歩道部に略Ｌ字状に脚を連接させ、土台部の張り出し端側に縦壁を配置し、脚を土台部側に配置し、脚と歩道板との隅部付近を縦壁に載せ掛け状に支持させた状態で歩道部の勾配調整を含む位置調整工程と、固化用コンクリート充填工程と、を行う構成とすることにより、勾配調整や高さ調整を含むブロックの位置調整を簡単な作業で、短期に終了させることが可能である。
【発明を実施するための最良の形態】
【００２４】
本発明の分割、組立形張り出し歩道構造は、土台部にその一部を係合させて歩道部を水平状に配置させた状態で重心が土台部側にあるような上盤を、地盤に設置される土台部に係合配置させ、その状態で、その係合部分を含む空隙部分に現場打ちコンクリートを充填して固化させ一体固定させて、土台部と上盤とを一体化した分割、組立形張り出し歩道構造であり、これにより、大型コンクリートブロックからなる張り出し歩道の軽量化が図れ搬送、移動、据付調整等を簡単にかつ精度良く行える。土台部に対して一部係合状態で一端側から歩道部を張り出し、その状態で重心を土台部側に残すような上盤の構成は種々考えられ、任意の構造のものを選択してよい。大型クレーン等で吊りこんで単に現場に降ろす作業を考慮すると、土台部端に壁体を設け、この壁体に寄りかかるあるいは乗せ掛けるだけで設置しうるような例えば歩道板と脚とがＬ字状に連結された構成とするとよい。土台部の構成も任意に設定してよいが、上盤の一部を係合保持した状態でコンクリートを充填して一体固定化するに足る十分な空隙を形成させうる構成であることが必要である。
【００２５】
さらに、本発明の分割、組立形張り出し歩道構造の上盤は脚と歩道板とからなり、土台部は脚を受け入れる空隙部分を備えた枠体構造から構成するとよい。枠体は任意の平面視多角形形状としてもよいし、Ｈ字状に構成してもよい。さらに、その際、歩道板は水平状に配置されるとともに、脚は歩道板にＬ字状に下方に連接され、土台部は、脚を空隙部分に配置しつつ脚と歩道板との隅部付近を載せ掛け状に支持する外壁を有すると重心を土台部側に残した歩道板の片持ち支持構成を具現化し得る。土台部は、内外に離隔対向して立てて配置される内壁及び外壁とこれらを連結する連接壁とによりＨ形枠状に一体的に形成され、上盤の脚は歩道板から二股状に下方に向けて突設され、土台部の連接壁にまたがるように配置するとよい。
【００２６】
勾配調整機構や高さ調整機構は、基本的には、脚と土台部との相対位置調整や土台部の外壁部分での調整に限られないが、側面視歩道部と脚とをＬ字状に接合した形態であると、それらの調整が行いやすいとともに、クレーン吊支による具体的な据付作業も円滑に行えて好適である。
【実施例１】
【００２７】
以下、図面を参照しつつ本発明の実施例に係る分割、組立形張り出し歩道構造及びその構築方法について説明する。図１ないし図４は、実施例１に係る分割、組立形張り出し歩道構造並びにその構築方法に適用される１つの分割、組立形張り出し歩道ブロック（以下「張り出し歩道ブロック」という）１０を示している。分割、組立形張り出し歩道構造は、
これらの張り出し歩道ブロックを横並びに複数個併設して張り出し側となる谷側や河川側に歩道部分を配置するように設置される。
【００２８】
図１において、張り出し歩道ブロック１０は、土台部１２と上盤１４とを含む。土台部１２は、図６に示すように、例えば山側を切欠状に切り開き所定の施工地盤３００に埋め込み状に設置される。例えば縁石３０１やガードレールが歩道と車道の境界部分に立設されその車道側寄り位置に土台部１２が配置される。土台部１２は、別体に形成される上盤１４を載せかけ状に受けて上盤１４に含まれる歩道部１６を片持ち状に支持する支持基礎部分であり、基本的には任意の構造あるいは形状のものでもよい。実施例において、土台部１２は、上盤の一部を受け容れる空隙部分を備えた枠体構造から構成するとよく、例えばこの実施例１では、車道側の内壁１８と内壁１８に離隔して平行に配置された外壁２０と、これらの離隔間隙部分に互いに連結させるように設けられた連接壁２２と、を有する平面視Ｈ字状の枠体から構成されている。土台部１２は、これらをコンクリートの一体成型により構成され、それぞれの壁１８、２０、２２は立てられて設置される。図１、図２において、張り出し方向Ｐに向けて設けられた連接壁２２には３個の連結鉄筋挿入孔２４が穿孔されている。内壁１８の左右両端側にはそれぞれ隣接配置される張り出し歩道ブロックと相欠き継ぎ手状に突合せ接続される相欠き継ぎ手部２８が空間的に相欠き状に嵌合しうるように設けられている。図２において、平面視Ｈ字の内、外壁１８，２０と連接壁２２とに分割形成された空隙Ｇに上盤１４の一部が配置されて現場打ちコンクリートによりこれらが固定される。また、張り出し側となる谷側にその壁面を面して立てられた外壁２０の下部寄り位置には後述する勾配調整機構２６の一部が形成されている。
【００２９】
上盤１４は、土台部１２にその一部を係合させて歩道部１６を水平状に配置させ、その状態で上記した現場打ちコンクリートにより土台部１２と歩道部１６とを一体的に連結させ、この状態で歩道部１６を片持ち状に支持させる土台部１２との連結部分付きの歩道部構造体であり、特に、本発明において、この上盤１４は、土台部１２にその一部を係合させて歩道部１６を水平状に配置させた状態で重心が土台部１２側に存するように構成されている。
【００３０】
詳細には、上盤１４は、脚２８と歩道板３０とを含む。脚２８は、土台部１２に係合して歩道部１２としての歩道板３０を片持ち状に支持させるための上盤１４の一部であり、該脚２８と歩道板３０とはコンクリートの一体成型により形成されている。この実施例において、歩道板３０と脚２８とは側面視Ｌ字状に曲げて接合されている。歩道板３０は施工時には水平状に配置され、脚は図３、６に示すようにこの水平状に配置された歩道板３０に対してＬ字状に下方に連接されている。そして、歩道板３０を水平状に配置した状態で脚２８を土台部の枠体構造の内部の空隙Ｇ内に挿入し、この状態でこの空隙Ｇ内にコンクリートが充填されて固化後、一体固定される。より詳しくは、本実施例では、脚２８は図３に示すように、離隔して２個平行に下方に垂設されている。すなわち、二股状に分割して下方に突設されている。そして、張り出し歩道の構築に際しては、図１、図６に示すように、脚２８の二股の中間間隙部分を土台部１２の連接壁２２に跨って縦に配置させる。
【００３１】
歩道部１６は上面が平坦な例えば人の歩行用の歩道面とされる矩形厚板状のコンクリート成型体であり、実施形態において、張り出し方向に長い長矩形形状で構成されている。この歩道板の幅方向両端側はその長辺全長にわたって異なる隅部を切欠いた相欠き状の切欠部Ｔが形成され空間的に嵌合し得るように形成されている。そして、片側の切欠部Ｔにより形成される部分は、上側隅部が切り欠かれて下部から水平方向に突設する突設受部３２が設けられ、これによって、併設する他の張り出し歩道ブロック１０Ｂの上側突設部３４と相欠き継手状に接続される。上盤１４全体は例えば３トン程度、土台部が２トン程度とし、複数の張り出し歩道ブロック１０Ａ，１０Ｂ，１０Ｃ．．．を併設する際に、具体的な施工現場に対応して道路の曲がり部分などがあるが、その際の隣接歩道ブロック間で具体的に生じる隙間へ充填される目地コンクリートの保持がこの突合せ部分の突設受部３２により可能となり、わざわざ型枠組み立て作業等を不要とするばかりか、歩道板本体に一体突設された突設受部３２により振動や不等沈下等の際にもコンクリートが落下することなく、安全性を保持しうる。さらに、図５にも示すように、歩道板３０の下部には、脚２８の高さ中途から斜めにせり上がって歩道板の張り出し端側に向かうにしたがって薄肉となる細長い三角形状の下部補強壁３６が平行に２個設置されている。これらの下部補強壁３６は、脚２８及び歩道板３０とともにコンクリート一体成型により形成される。
【００３２】
前述したように、歩道板３０と脚２８とは側面視Ｌ字状に曲げて接合されている。そして、施工時には歩道板３０を水平状に配置し土台部１２にその一部を係合させて歩道部を片持ち状に支持させる。すなわち、本実施例において、Ｌ字状に連結された歩道板３０と脚２８との隅部１０１を土台部１２の外壁２０上に乗せ掛けて配置させる。このとき、上盤の重心は土台部側にあり、自由状態において歩道板を水平状に張り出し突設させた状態であっても谷側等に転倒することはない。この状態でコンクリートが充填される。
【００３３】
さらに、本実施例において、土台部に支持される歩道板の位置調整機構３８が設けられている。位置調整機構３８は、併設して実用し得る張り出し歩道の構築に際してその歩道部の勾配調整、高さ調整を含む歩道部の位置を調整する機構であり、この実施例において、位置調整機構３８は勾配調整機構２６と、高さ調整機構４２と、を含む。勾配調整機構２６は、特に水平状態の歩道部（歩道面）から例えば図示しない車道側に３パーセントの下がり勾配で実施することを義務付けられる場合等があり、このような場合に対応しうる。実施例では、勾配調整機構２６は、外壁２０の内側に配置された脚２８とその外壁２０との離隔間隙を長短調整する脚移動機構から構成されている。詳細には、この実施例では、
脚２８の下部に穿孔された孔を貫通する調整ボルト４４と、外壁２０内に埋め込まれて外壁の内面側からねじ込み可能に設けられたインサートナット４６と、を含み、調整ボルト４４のインサートナット４６内への螺進退移動により脚２８と外壁２０との間隙を調整することにより歩道板３０の例えば外壁上端部を支点とする左右の揺動による勾配調整を行う。
【００３４】
高さ調整機構４２は、歩道板３０の全体高さ調整を行う高さ調整手段であり、この実施形態では、歩道板３０と脚２８とのＬ字隅部での支持位置を上下に調整することにより行う。本実施例において、高さ調整機構４２は図４に示すように上盤１４が載せ掛けられる外壁２０の上端位置を調整する手段により構成されており、詳しくは、外壁２０の上端寄り位置であって、外壁２０の内部に埋め込まれたインサートナット４８と、該インサートナット４８に上から下向きにねじ込まれる高さ調整ボルト５０と、を含み、高さ調整ボルト５０により歩道板の下面の当たり高さを調整し、設定高さが得られたときにモルタルをボルトとの隙間に充填して固化し支持させる。
【００３５】
次に、本実施例の作用について説明すると、二次コンクリート製品としての土台部１２と歩道部１６とを施工現場に運搬するが、このように土台部１２と歩道部とが分割されているので、製造、管理、運搬上作業性が良く、また、施工時に比較的に小型のブロックの吊支用重機を用いて作業できるので、施工コストの上でも低廉化に資する。張り出し歩道ブロック１０Ａ，１０Ｂ、１０Ｃ．．．を設置線に沿って配置しながら施工するに際し、まず、Ｈ字の連接壁２２が地盤３００側から張り出し方向Ｐに向かうように立てて土台部１２を設置し、次に上盤１４を例えばクレーン吊支しながら図６のように土台部１２の外壁２０の上面に上盤１４のＬ字隅部を乗せ掛けるようにして配置させる。このとき、上盤１４は歩道部１６を水平状に配置させた状態で重心が土台部側にあるので、自由状態でも歩道部側から谷側に転倒しないようになっている。この状態で、調整ボルト４４や高さ調整ボルト５０を操作しながらそれぞれ歩道板の勾配調整あるいは高さ調整を行う。調整完了後、連結鉄筋５２を複数の併設されたブロック１０Ａ、１０Ｂ．．．の土台部の鉄筋挿入孔２４を串刺し状に貫通して配置し、その後、土台部の上盤が係合する空隙部分Ｇに現場打ちコンクリートを充填し固化して一体化し、これによって、歩道部を片持ち状に支持させた張り出し歩道構造を得る。
【００３６】
このように、本実施例の分割、組み立て形張り出歩道構造では、支持基礎側の土台部と、一部に土台部との連結部分を形成する態様で構成された歩道板を含む上盤と、に分割し、かつ、土台部にその一部を係合させて歩道部を水平状に配置させた状態で重心が土台部側にあるように上盤を形成しているので、それらの二次コンクリート製品の製造、管理、運搬等が簡易に行える上に、歩道板の細かな高さ調整や勾配調整を簡単に行え、さらに、それらの設定調整を従来に比較して短時間で高精度に行える。
【実施例２】
【００３７】
次に、本発明の第２の実施例について、図７ないし図９に基づいて説明するが、前記した第１実施例と同一部材には同一符号を付しその詳細な説明は省略する。この実施例では、上盤６０は、脚６４を含む脚側基体６２と、脚側基体とは別体で形成され脚側基体に一体組み付け可能な歩道板６６と、を有し、該上盤６０は、土台部１２と別体に形成され土台部にその一部を係合させて歩道部１６を片持ち状に支持され、さらに、上盤６０は、土台部にその一部を係合させて歩道部を水平状に配置させた状態で重心が土台部側にあり、土台部に配置させた上盤の一部分を現場打ちコンクリートの充填固化により一体固定させ、土台部と上盤とを一体化させる。
【００３８】
この第２実施例では、土台部１２と略同一構成の平面視Ｈ字形状で構成され、連接壁２２は角柱状に形成されている。この実施例で、脚側基体６２は、下方側に伸びる脚６４と脚から水平方向に突出形成された受台６８と、を含み、土台部１２の空隙部分Ｇに脚６４を配置させた状態で重心を土台部側に残して受台６８を水平片持ち状に支持する。受台６８はその上に厚板状の歩道板６６を載置し固定させるだけで歩道板６６を支持させうる歩道板受台手段であり、この実施形態では２個の脚６４から連接されて水平方向に四角枠形状に形成されている。脚側基体６２はコンクリートの一体成型により構成される。
【００３９】
歩道板６６は、その上面を平坦面とした歩道部分を構成する部位であり、特に、この実施例では、脚側基体６２と分離して別体として構成される。これによって、脚側基体６２による歩道の支持の機能とは別の付加価値を有する張り出し歩道構造を構築できる。例えば、本実施例において、該歩道板６０は、多孔質のボーラスコンクリートからなり、保水性に優れ、雨天時の雨水の跳ね返り防止とともに道路のカラー化、スリップ防止構造、透水性道路等を実現する複層構造の道路を構築できる。また、歩道板６６は薄肉化し軽量に構成しうる。この第２実施例の張り出し歩道ブロックは、例えば図９のように土台部１２に対して係合して設置され、第１実施例と同様に土台部１２と上盤６０とを一体連結して片持ち支持により張り出し道路を構築する。脚側基体６２と、歩道板６６とは例えば図示しない連結ボルトを介して連結固定される。なお、図中６８は隣接歩道ブロック１０Ａ、１０Ｂ、１０Ｃ．．．の土台部の連接壁の下部位置等に配置される連結用鉄筋である。この第２実施例では、第１実施例のように勾配調整機構や高さ調整機構は設けられておらず、連接壁２２と脚の水平延長壁との間に連結鉄筋６８を挿入した状態でそのまま現場打ちコンクリートを充填するだけとしているが、土台部１２の空隙部分Ｇに脚６４を配置させた状態で重心を土台部側に残して受台６８を水平片持ち状に支持するので、この状態でも従来に比して簡単に勾配調整を含む位置調整が可能である。本実施例でも、さらに、インサートナットやボルト等の間隙調整機構を設けて第１実施例と同様に、勾配調整や高さ調整をさらに円滑に行えるようにしてもよい。
【００４０】
また、本発明の分割、組立形張り出し歩道の構築方法としては、地盤に設置される土台部と、土台部と別体に形成され一端側に歩道部を有する上盤と、を用意し、土台部に上盤の一部を係合させつつ自由状態において上盤自体で歩道部を水平状に支持可能に配置し、
土台部に配置させた上盤の一部分を現場打ちコンクリートの充填固化により土台部と上盤とを一体固定させて歩道部を片持ち状に支持させるものである。さらに、歩道部に略Ｌ字状に脚を連接させ、土台部の張り出し端側に縦壁を配置し、脚を土台部側に配置し、脚と歩道板との隅部付近を縦壁に載せ掛け状に支持させた状態で歩道部の勾配調整を含む位置調整工程と、固化用コンクリート充填工程と、を行うものである。
【００４１】
以上、説明した本発明の分割、組立形張り出し歩道構造及びその構築方法並びに張り出し歩道ブロックは、上記した実施例のみに限定されるものではなく、特許請求の範囲に記載した発明の本質を逸脱しない範囲における改変も本発明に含まれる。
【産業上の利用可能性】
【００４２】
本発明の分割、組立形張り出し歩道構造及びその構築方法並びに張り出し歩道ブロックは、傾斜や切り立った崖上等の段差のある地形や山間部、内海沿岸、湖水際等にあって外側に張り出した歩道構築に適用される。
【図面の簡単な説明】
【００４３】
【図１】本発明の第１実施例に係る分割、組立形張り出し歩道構造及びその構築方法に用いられる張り出し歩道ブロックの全体概略斜視図である。
【図２】図１の張り出し歩道ブロックの土台部の全体概略斜視図である。
【図３】図１の上盤の全体概略斜視図である。
【図４】図１の土台部の上端側の斜視説明図である。
【図５】図１の上盤を裏面側から見た斜視図である。
【図６】図１の張り出し歩道ブロックを複数用いて併設施工した状態の１つのものの断面説明図である。
【図７】本発明の第２実施例に係る分割、組立形張り出し歩道構造及びその構築方法に用いられる張り出し歩道ブロックの上盤の分解斜視図である。
【図８】図１の上盤に一体接合される土台部の斜視図である。
【図９】図１の上盤に一体接合される土台部の斜視図である。
【符号の説明】
【００４４】
１０    張り出し歩道ブロック
１２    土台部
１４    上盤
１６    歩道部
２０    外壁
２２    連接壁
２６    勾配調整機構
２８    脚
３０    歩道板
３６    下部補強壁
３８    位置調整機構
４２    高さ調整機構
６０    上盤
６２    脚側基体
６４    脚
６６    歩道板
【図１】
2005076235.tif 000003
【図２】
2005076235.tif 000004
【図３】
2005076235.tif 000005
【図４】
2005076235.tif 000006
【図５】
2005076235.tif 000007
【図６】
2005076235.tif 000008
【図７】
2005076235.tif 000009
【図８】
2005076235.tif 000010
【図９】
2005076235.tif 000011